(57)【特許請求の範囲】
【請求項１】
電気掃除機本体と、
この電気掃除機本体内に配設された電動送風機と、
前記電気掃除機本体と接続されるホースに設けられ、前記電動送風機の駆動状態を設定する操作手段と、
前記電気掃除機本体内に設けられ、前記操作手段により設定された駆動状態に対応して前記電動送風機の入力を制御する制御手段とを具備し、
前記操作手段は、
前記制御手段からの一極性の電流のみで動作し設定された駆動状態に従って電流値を可変する電流制御手段と、
この電流制御手段の一極性とは逆極性の電流にて発音する発音手段と、
この発音手段に対して並列に接続され、前記電流制御手段の一極性とは逆極性の電流にて発光する発光手段とを備え、
前記制御手段は、
前記操作手段の電流制御手段からの電流値を検知する電流検知手段と、
前記操作手段に電源を供給する電源供給手段と、
前記電流検知手段にて、前記ホースが前記電気掃除機本体に接続された状態で前記操作手段により前記電動送風機の駆動状態が設定された際の電流値を検知した際に前記電源供給手段からの電流方向を切り換える電流方向切換手段と、
この電流方向切換手段から出力される電流方向が前記逆極性であるとき前記電流検知手段による異なる電流値の検知に対応して前記電源供給手段からの電圧値を可変する電圧切換手段とを備え、
この電圧切換手段による電圧値の可変によりこの可変された電圧が前記発音手段および前記発光手段へ供給される電路を切り換える電路切換手段を具備した
ことを特徴とする電気掃除機。
【請求項２】
電路切換手段は、定電圧手段およびトランジスタを備えた
ことを特徴とする請求項１記載の電気掃除機。
【請求項３】
発光手段および発音手段は、操作手段により設定された駆動状態に応じてそれぞれ動作回数が異なる
ことを特徴とする請求項１または２記載の電気掃除機。
【発明の詳細な説明】
【０００１】
【発明の属する技術分野】
本発明は、電動送風機の駆動状態に伴って発音手段および発光手段が別個独立して発音および発光する電気掃除機に関する。
【０００２】
【従来の技術】
従来、この種の電気掃除機としては、例えば電動送風機およびこの電動送風機の入力を制御する制御手段を収納する電気掃除機本体に発音手段であるブザーや発光手段である発光ダイオードなどを配設し、この電気掃除機本体に接続したホースなどの手許に、電動送風機の駆動状態を設定する操作手段を設けたものが知られている。そして、この操作手段の操作により電動送風機の駆動状態を設定することにより、制御手段にて電動送風機の入力を制御するとともに、発音手段を所定の音や合成音声で発音させたり、発光手段を発光させて掃除作業者に設定状況を報知している。
【０００３】
また、一般に電気掃除機本体の制御手段およびホースの手許の操作手段の間は、軽量化、簡素化などのために２線信号線で接続されている。また掃除機本体のごみづまりなどのときに発音手段を発音させたり発光手段を発光させて、掃除作業者に報知するものも知られている。
【０００４】
【発明が解決しようとする課題】
しかしながら、上記従来の電気掃除機は、発音手段の音量を一定としているため、異なる設定内容の報知やごみ詰まりなどの異なる情報を２線信号線で発音することが困難であり、また操作手段の設定操作に対応して発音手段で設定内容を発音させる制御を行う高価な記憶手段などを別途設ける必要があり、コストが増大する。さらに、掃除作業者に容易に報知できるようにホースの手許に配設した場合には、手許が大型化するとともに、手許は掃除作業の際に家具などとの衝突や掃除の中断の際に床面に載置させる衝撃などを多く受けるので、手許に設けた記憶手段などが損傷するおそれがある。
【０００５】
本発明は、上記問題点に鑑みなされたもので、簡単な構造で電動送風機の駆動状態に応じて発音手段および発光手段をそれぞれ別個に発音および発光できる電気掃除機を提供することを目的とする。
【０００６】
【課題を解決するための手段】
請求項１記載の電気掃除機は、電気掃除機本体と、この電気掃除機本体内に配設された電動送風機と、前記電気掃除機本体と接続されるホースに設けられ、前記電動送風機の駆動状態を設定する操作手段と、前記電気掃除機本体内に設けられ、前記操作手段により設定された駆動状態に対応して前記電動送風機の入力を制御する制御手段とを具備し、前記操作手段は、前記制御手段からの一極性の電流のみで動作し設定された駆動状態に従って電流値を可変する電流制御手段と、この電流制御手段の一極性とは逆極性の電流にて発音する発音手段と、この発音手段に対して並列に接続され、前記電流制御手段の一極性とは逆極性の電流にて発光する発光手段とを備え、前記制御手段は、前記操作手段の電流制御手段からの電流値を検知する電流検知手段と、前記操作手段に電源を供給する電源供給手段と、前記電流検知手段にて、前記ホースが前記電気掃除機本体に接続された状態で前記操作手段により前記電動送風機の駆動状態が設定された際の電流値を検知した際に前記電源供給手段からの電流方向を切り換える電流方向切換手段と、この電流方向切換手段から出力される電流方向が前記逆極性であるとき前記電流検知手段による異なる電流値の検知に対応して前記電源供給手段からの電圧値を可変する電圧切換手段とを備え、この電圧切換手段による電圧値の可変によりこの可変された電圧が前記発音手段および前記発光手段へ供給される電路を切り換える電路切換手段を具備したもので、電気掃除機本体内に設けられた制御手段の電流検知手段が、ホースが電気掃除機本体に接続された状態での操作手段による電動送風機の駆動状態が設定された場合の所定の電流値を検知した際に、電流方向切換手段にて電源供給手段から操作手段に供給される電源の電流方向を切り換えて、電流方向が操作手段の電流制御手段の順極性であるとき、操作手段による電動送風機の駆動状態の設定状態に対応して可変された電源供給手段からの電源の電流値を電流検知手段で検知し、検知した電流値に対応して電動送風機の入力を制御し、電流方向が電流制御手段の逆極性であるとき、電流検知手段による異なる電流値の検知に対応して電圧切換手段により電源供給手段からの電圧値を可変させ、この可変された電圧値に対応してこの電圧が発音手段および発光手段へ供給される電路を電路切換手段にて切り換え、発光手段または発音手段のいずれかを発光または発音させる。
【０００７】
請求項２記載の電気掃除機は、請求項１記載の電気掃除機において、電路切換手段は、定電圧手段およびトランジスタを備えたもので、定電圧手段およびトランジスタにより、電圧切換手段からの変換された電圧により発音手段および発光手段への電力が供給される電路が簡単な構成で容易に切り換えられる。
請求項３記載の電気掃除機は、請求項１または２記載の電気掃除機において、発光手段および発音手段は、操作手段により設定された駆動状態に応じてそれぞれ動作回数が異なるもので、設定された駆動状態に応じて発光手段および発音手段の動作回数がそれぞれ異なることで、操作手段の設定の内容の識別性が向上する。
【０００８】
【発明の実施の形態】
以下、本発明の電気掃除機の実施の一形態を図面を参照して説明する。
【０００９】
図４において、１は電気掃除機本体で、この電気掃除機本体１には、ホース２の基端が着脱自在に接続され、このホース２の先端には後方に向けて分岐された形状の手許操作部３が設けられている。また、この手許操作部３の先端には、連結および切り離しにより長さが調節される延長管４を介して吸込口体５が取り付けられている。
【００１０】
そして、手許操作部３は、図５に示すように、後方に向けて分岐され先端が自由端の部分が握り部11となり、手許操作部３の上面は握り部11から延長管４の方向に向けて停止設定用のボタン12、自動設定用のボタン13、弱／強設定用のボタン14およびパワーブラシ用のボタン15が１列に順次並んで配設されて操作手段17が構成されている。
【００１１】
さらに、手許操作部３の上面には、発光手段としての発光素子である発光ダイオードLED1が配設されているとともに、小さい発音量でも掃除作業者が容易で確実に確認できるように、発音手段としてのブザーBZからの発音が発信されるスクリーン状の窓部18が設けられている。なお、ブザーBZは電気掃除機本体１に配設してもよい。
【００１２】
次に、図１を参照して、内部構成について説明する。
【００１３】
まず、電動送風機21が電気掃除機本体１内に配設されるとともに、パワーブラシ22が吸込口体５内に配設され、これら電動送風機21およびパワーブラシ22は、それぞれ電力制御用のトライアック23，24を介して商用交流電源Ｅに接続されている。
【００１４】
そして、これらトライアック23，24のゲートには、電気掃除機本体１内に内蔵された制御手段25が接続されている。この制御手段25は電源供給手段26、この電源供給手段26から出力される電源の電流方向を切り換える電流方向切換手段27、電源供給手段26からの電源の電圧値を可変する電圧切換手段28、および、電流検知手段29を有している。
【００１５】
さらに、制御手段25には操作手段17が接続され、この操作手段17は、停止設定用のボタン12、自動設定用のボタン13、弱／強設定用のボタン14およびパワーブラシ用のボタン15の操作に従い電流を制御する一極性のみで動作する電流制御手段30を備えている。また、操作手段17は、各ボタン12，13，14，15の操作に従って発光ダイオードLED1を発光させる電流制御手段30とは逆極性で動作する発光手段31、および、この発光手段31に並列に接続された発音手段32を備えている。さらに、操作手段17は、発光手段31の回路である電路と発音手段の回路である電路とを切り換える電路切換手段33を備えている。
【００１６】
そして、制御手段25の電流検知手段29は、制御手段25の電源供給手段26から供給された電源の電流制御手段30にて制御された電流の電流値を検知する。
【００１７】
なお、制御手段25の一部および操作手段17の具体的な回路は図２に示すようになっている。
【００１８】
そして、制御手段25は、各種回路に定電圧を供給する電源供給手段26の定電圧源Ｖccが接続されたマイクロコンピュータ34を有し、このマイクロコンピュータ34の電流方向を切り換える電流方向切換手段27を構成する電流方向切換ポートＰ1には、トランジスタＱ1のエミッタが接続され、このトランジスタＱ1のコレクタにはトランジスタＱ2のエミッタが接続され、このトランジスタＱ2のコレクタはホース２を電気的に接続する端子Ａに接続されている。また、電流方向切換ポートＰ1の出力端子間である電流方向切換ポートＰ1は抵抗Ｒ1および抵抗Ｒ2の直列回路を介して接地され、これら抵抗Ｒ1および抵抗Ｒ2の接続点にはトランジスタＱ2のベースが接続されている。さらに、電流方向切換ポートＰ1の出力端子は、電流可変用の抵抗Ｒ3および定電圧Ｖ0を設定するツェナダイオードZD1の直列回路を介して接地され、これら抵抗Ｒ3およびツェナダイオードZD1の接続点には、トランジスタＱ3のエミッタが接続され、トランジスタＱ3のコレクタにはトランジスタＱ1のコレクタが接続されている。そして、このトランジスタＱ3のベースは、抵抗Ｒ4を介してマイクロコンピュータ34の電圧切換手段28を構成する電圧切換ポートＰ3に接続されている。
【００１９】
また、トランジスタＱ1のベースはトランジスタＱ4のコレクタが接続され、このトランジスタＱ4のエミッタは接地され、ベースは抵抗Ｒ5を介して電圧切換ポートＰ3に接続されている。
【００２０】
さらに、トランジスタＱ1のコレクタおよびトランジスタＱ3のコレクタは、抵抗Ｒ6を介してトランジスタＱ5のベースに接続されるとともに、抵抗Ｒ7を介してトランジスタＱ6のベースが接続され、トランジスタＱ5のエミッタは接地され、トランジスタＱ5のコレクタはホース２を電気的に接続する端子Ｂに接続されている。一方、トランジスタＱ6のコレクタはトランジスタＱ5のコレクタに接続され、トランジスタＱ6のエミッタは抵抗Ｒ8を介して定電圧源Ｖccに接続されている。
【００２１】
また、トランジスタＱ2のコレクタには、トランジスタＱ7のエミッタが接続され、このトランジスタＱ7のベースは抵抗Ｒ9を介して電流方向切換ポートＰ1に接続され、このトランジスタＱ7のコレクタはマイクロコンピュータ34の操作手段17からの電流を読み取る電流検知手段29を構成する電流読取ポートＰ2に接続されている。さらに、トランジスタＱ7のコレクタには、抵抗Ｒ10およびコンデンサＣ1の並列回路が接続され、これら抵抗Ｒ10およびコンデンサＣ1は接地されている。
【００２２】
一方、制御手段25は、電気掃除機本体１にホース２を接続した際に電気掃除機本体１の端子Ａおよび端子Ｂにそれぞれ電気的に接続する端子ａおよび端子ｂにそれぞれ接続する２線伝送線51，52を介して、操作手段17に接続されている。そして、端子ａおよび端子ｂ間には、抵抗Ｒ11およびダイオードＤ1の直列回路が接続されている。また、この操作手段17は、２線伝送線51，52間に、発光手段31を構成する発光手段である発光素子としての発光ダイオードLED1、トランジスタＱ8のコレクタ、エミッタ、抵抗Ｒ12、ダイオードＤ2およびダイオードＤ3の直列回路を有し、発光ダイオードLED1に対して並列的にブザーBZおよび抵抗Ｒ13の並列回路を構成する発音手段32が接続され、この抵抗Ｒ13は抵抗Ｒ14を介してトランジスタＱ8のベースに接続されるとともに、トランジスタＱ9のコレクタに接続され、このトランジスタＱ9のエミッタは抵抗Ｒ12およびダイオードＤ2の接続点に接続されている。さらに、端子ｂとダイオードＤ2およびダイオードＤ3の接続点との間には、電圧切換手段28を構成する定電圧手段で所定の電圧値Ｖa以上でオンするツェナダイオードZD2および抵抗Ｒ15の直列回路が接続されている。そして、トランジスタＱ9のベースは、抵抗Ｒ16を介してツェナダイオードZD2および抵抗Ｒ15の接続点に接続され、トランジスタＱ8，Ｑ9、抵抗Ｒ12，Ｒ14，Ｒ15，Ｒ16およびツェナダイオードZD2にて電路切換手段33が構成されている。
【００２３】
一方、電流制限用の抵抗Ｒ11に対して並列に、停止設定用のボタン12により操作される常開のスイッチ57および抵抗Ｒ18の直列回路、自動設定用のボタン13により操作される図示しない常開のスイッチおよび抵抗の直列回路、弱／強設定用のボタン14により操作される図示しない常開のスイッチおよび抵抗の直列回路、パワーブラシ用のボタン15により操作される図示しない常開のスイッチおよび抵抗の直列回路が接続されている。なお、各ボタン12，13，14，15に対応する各抵抗の抵抗値は、それぞれ異なる抵抗値に設定されている。
【００２４】
次に、上記実施の形態の動作を図２、図３および表１を参照して説明する。
【００２５】
まず、マイクロコンピュータ34は電流方向切換ポートＰ1および電圧切換ポートＰ3からそれぞれ１０ｍｓのパルス出力をするもので、マイクロコンピュータ34の電流方向切換ポートＰ1からＬレベル出力し、電圧切換ポートＰ3からもＬレベル出力する。この電流方向切換ポートＰ1からのＬレベル出力および電圧切換ポートＰ3からのＬレベル出力により、トランジスタＱ1およびトランジスタＱ3のエミッタには電流が供給されず、これらトランジスタＱ1およびトランジスタＱ3はオフ状態となり、トランジスタＱ4のベースにベース電流が供給されないためトランジスタＱ4もオフする。また、トランジスタＱ1およびトランジスタＱ3のいずれもがオフ状態となることにより、トランジスタＱ6はオンし、電流方向切換ポートＰ1がＬレベル出力であることによりトランジスタＱ7はオンし、図２に示す回路図中の矢印(1)の方向に電流が流れ、ダイオードＤ1の逆阻止により、ホース２の発光手段31および発音手段32には電流が流れず、ホース２の電流制御手段30に電流が流れて操作手段17の操作待ちの状態となる。
【００２６】
ここで、操作手段17のいずれかのボタン13，14，15を操作することにより回路が閉成して電流が流れ、電流検知手段29を構成する電流読取ポートＰ2にて、パルス的なタイミングで電流の電流値を検知する。
【００２７】
そして、電流読取ポートＰ2で検知する電流値が０の場合は、２線伝送線51，52間が開放されているので、ホース２が外れていると判断する。また、電流がホース接続の閾値を越えたことを電流読取ポートＰ2に入力すると、ホース２が接続されて抵抗Ｒ11に電流が流れて、操作手段17の各ボタン13，14，15が操作されていないと判断する。
【００２８】
ここで、操作手段17の各ボタン13，14，15のいずれかが操作されて、対応するスイッチ58，59，60が閉成されると、抵抗Ｒ11より抵抗値の小さい各ボタン13，14，15に対応した抵抗を電流が通って電流値が、所定の閾値の電流値となるので、この電流値を電流検知手段29を構成する電流読取ポートＰ2で検知し、電動送風機21の入力を電流読取ポートＰ2で検知した電流値に対応して所定の入力に制御する。すなわち、制御手段25によりトライアック23を制御して、電動送風機21を所定の駆動状態で駆動制御する。
【００２９】
このとき、制御手段25は操作手段17の各ボタン13，14，15が操作されたと判断し、電流方向を切り換えるために電流方向切換ポートＰ1から所定時間Ｈレベル出力する。また、操作したボタン13，14，15の種類により電圧切換ポートＰ3からはＬレベル出力またはＨレベル出力、例えばボタン13，14が操作された場合にはＬレベル出力、ボタン15が操作された場合にはＨレベル出力する。
【００３０】
そして、電圧切換ポートＰ3からＬレベル出力された場合には、トランジスタＱ3のベースがＬレベルとなりトランジスタＱ3がオンし、トランジスタＱ2がオンする。また、トランジスタＱ6のベースがＨレベルとなりトランジスタＱ6がオフするとともに、トランジスタＱ5にベース電流が供給されることによりトランジスタＱ5がオンし、操作手段17の電流読み取りの際の電流方向と電流方向が逆転し、図２に示す回路図中の矢印(2)に沿って抵抗Ｒ3を介した定電圧源Ｖ0の電流が流れ、ダイオードＤ1の逆阻止により電流制御手段30には電流が流れず、逆極性の発光手段31に電圧Ｖ0の電流が流れる。
【００３１】
さらに、発光手段31では、電圧切換ポートＰ3からＬレベル出力されているので、図２に示すように、電圧値がＶa以下である電圧値Ｖ0の電流によりツェナダイオードZD2の逆阻止にてトランジスタＱ9がオフするとともにトランジスタＱ8がオンし、発音手段32には電流が流れず、図３および表１に示すように、ブザーBZは発音せず、発光ダイオードLED1が発光する。
【００３２】
【表１】
0003738861.tif 000002
【００３３】
また、所定のボタン13，14，15のいずれかが操作、例えばボタン15が操作されて、電圧切換ポートＰ3からＨレベル出力された場合には、電流方向切換ポートＰ1および電圧切換ポートＰ3からのＨレベル出力により、トランジスタＱ3がオフしてトランジスタＱ1がオンする。また、トランジスタＱ4、トランジスタＱ7はオフ状態で、トランジスタＱ2がオンし、トランジスタＱ5はオン状態でトランジスタＱ6はオフ状態になり、操作手段17の電流読み取りの際の電流方向が逆転して極性が反対になり、図２に示す回路図中の矢印(3)に沿って抵抗Ｒ3を介さない定電圧源Ｖccの電流が流れ、ダイオードＤ1により操作手段17の電流制御手段30には電流が流れない。そして、電圧切換ポートＰ3からＨレベル出力されているので、図２に示すように、電圧値がＶa以上である電圧値Ｖccの電流が流れることによりツェナダイオードZD2がオンしてトランジスタＱ9がオンするとともにトランジスタＱ8がオフして、発光手段31には電流が流れず、図３および表１に示すように、発光ダイオードLED1が発光せず、ブザーBZが耳障りとなることなく確実に掃除作業者に報知できる音量で発音する。
【００３４】
そして、電流方向切換ポートＰ1からＨレベルを所定時間、例えば出力した後、再び電流方向切換ポートＰ1からＬレベル出力して、電流読取ポートＰ2にて操作手段17の待機状態となる。
【００３５】
なお、電流方向切換ポートＰ1からのＨレベル出力の時間は、定電流のパルス出力される１サイクルである例えば１０ｍ・ｓの間では非常に時間が短いので、掃除作業者は発光ダイオードLED1の発光およびブザーBZの発音が確認できないため、掃除作業者が最低限「ピッ」という発光を確認または発音を聞き取れる時間長となるように、定電流パルスが１０ｍ・ｓで出力される場合には１０サイクル出力、すなわち、１／１０秒程度出力させる制御命令を、あらかじめマイクロコンピュータ34に記憶させておく。
【００３６】
一方、電動送風機21の負圧側の圧力を感知する図示しないセンサなどにて負圧が上昇したことを感知した場合には、制御手段25はホース２などにごみが閉塞したり、図示しない集塵袋のごみが一杯になるなどの異常が生じたものと判断し、例えばボタン15が操作されて電圧切換ポートＰ3からＨレベル出力された場合と同様に、発音手段32のみが発音する。なお、この場合には、ボタン15が操作された場合に比して長時間発音させたり、大きい発音量で発音させたり、電圧切換ポートＰ3からＨレベル出力およびＬレベル出力を交互に行わせて発光手段31の発光と交互に発音させることによる発光ダイオードLED1の発光とブザーBZの発音が同時に行われているように区別化する。
【００３７】
また、停止設定用のボタン12が操作されスイッチ57が閉成されると、抵抗Ｒ11より抵抗値が小さい抵抗Ｒ18に電流が流れ、この電流値を電流検知手段29の電流読取ポートＰ2で検知し、電動送風機21の入力を停止するとともに、電流方向切換ポートＰ1から初期状態のＬレベル出力する。
【００３８】
上記構成によれば、ホース２の手許操作部３に、電動送風機21の駆動状態を設定する操作手段17を構成する各種ボタン12，13，14，15と、発光ダイオードLED1を備えた発光手段31およびこの発光手段31に並列にブザーBZを備えた発音手段32を設け、２線伝送線51，52の簡単な構成でも、操作手段17の電動送風機21の駆動状態の設定操作を認識するとともに、この認識により電流方向切換手段27にて電流方向を適宜切り換えるとともに電圧切換手段28にて電圧値を切り換え、この電圧切換手段28の電圧値の切換により電路切換手段33にて発光手段31および発音手段32への電力の供給経路を切り換えることにより、発光手段31および発音手段32を操作手段17の設定操作に対応して別個独立して発光または発音でき、掃除作業者が設定内容を容易に認識できる。
【００３９】
また、２線伝送線51，52で、従来のように手許操作部３に電源供給手段や記憶手段などを配設する必要がなく、簡単な構造で設定内容を報知できるので、ホース２の製造性の向上および製造コストの低減が得られ、ホース２の重量の低減による掃除作業性も向上できる。
【００４０】
なお、上記図１ないし図５に示す実施の形態において、操作手段17の各ボタン12，13，14，15が操作されたときに、電流を検知して説明したが、電圧を検知する構成など、操作手段17の操作による設定状態を認識する方法はいずれの方法でもよい。
【００４１】
また、ブザーBZの代わりにスピーカを用いたり、合成音声を発音する手段を用いても同様の効果が得られる。
【００４２】
そして、発光手段31および発音手段32をホース２の手許操作部３に配設して説明したが、電気掃除機本体１に設けてもできる。この場合には、アップライト型などのように、電気掃除機本体１もしくはこの電気掃除機本体１の近傍に操作手段17や握り部11があるものが好ましい。
【００４３】
また、操作手段17の操作により、電流方向切換ポートＰ1から所定時間「ピッ」と一回だけ発光または発音するように説明したが、操作手段17の各ボタン12，13，14，15ごとに異なる回数で発光または発音させることにより、さらに操作手段17の設定操作の内容やごみ詰まりなどの情報の識別性を向上させるようにしてもできる。
【００４４】
さらに、発光ダイオードLED1は１つに限らず、複数設けて操作手段17の設定操作の内容やごみ詰まりなどの情報の識別性を向上させるようにしてもでき、発光素子の代わりにランプなどのいずれのものでもできる。
【００４５】
【発明の効果】
請求項１記載の電気掃除機によれば、制御手段の電流検知手段が、ホースが電気掃除機本体に接続された状態での操作手段による電動送風機の駆動状態が設定された場合の所定の電流値を検知した際に、電流方向切換手段にて電源供給手段から操作手段に供給される電源の電流方向を切り換えて、電流方向が操作手段の電流制御手段の順極性であるとき、操作手段による電動送風機の駆動状態の設定状態に対応して可変された電源供給手段からの電源の電流値を電流検知手段で検知し、検知した電流値に対応して電動送風機の入力を制御し、電流方向が電流制御手段の逆極性であるとき、電流検知手段による異なる電流値の検知に対応して電圧切換手段により電源供給手段からの電圧値を可変させ、この可変された電圧値に対応してこの電圧が発音手段および発光手段へ供給される電路を電路切換手段にて切り換え、発光手段または発音手段のいずれかを発光または発音させるので、簡単な構成で容易に発音手段または発光手段を別個独立して発音または発光できるとともに情報性を向上できる。
【００４６】
請求項２記載の電気掃除機によれば、請求項１記載の電気掃除機に加え、電路切換手段は定電圧手段およびトランジスタを備えたため、電圧切換手段からの変換された電圧により発音手段および発光手段への電力が供給される電路が簡単な構成で容易に切り換えできる。
【００４７】
請求項３記載の電気掃除機によれば、請求項１または２記載の電気掃除機に加え、設定された駆動状態に応じて発光手段および発音手段の動作回数がそれぞれ異なることで、操作手段の設定の内容の識別性を向上できる。
【図面の簡単な説明】
【図１】  本発明の電気掃除機の実施の一形態を示すブロック図である。
【図２】  同上電気掃除機の回路構成を示す回路図である。
【図３】  同上電気掃除機の動作を示すタイミングチャートである。
（ａ）  発光ダイオードLED1の発光状態を示す波形図
（ｂ）  ブザーの発音状態を示す波形図
【図４】  同上電気掃除機本体の外観構成を示す斜視図である。
【図５】  同上手許操作部を示す斜視図である。
【符号の説明】
１    電気掃除機本体
21    電動送風機
25    制御手段
28    電圧切換手段
31    発光手段
32    発音手段
33    電路切換手段
【図１】
0003738861.tif 000003
【図２】
0003738861.tif 000004
【図３】
0003738861.tif 000005
【図４】
0003738861.tif 000006
【図５】
0003738861.tif 000007